(57)【要約】【課題】金属製の容器本体とゴム等のプロテクタが接着によって固着された容器において、プロテクタを容器本体から短時間で効率的に剥離することができる容器のプロテクタ剥離方法および装置を提供する。【解決手段】金属からなる容器本体９０に軟質材料からなるプロテクタ９２，９３が接着により固着されている容器に対して、コイル２１，２２を前記プロテクタの固着位置の近傍に配置する手順と、前記コイルに高周波交流電流を所定時間供給し、前記容器本体の前記プロテクタ固着位置近傍を高周波誘導加熱によって加熱して接着剤層を破壊する手順と、前記プロテクタを前記容器本体から剥離する手順とを有するものである。金属製の容器本体を傷つけずにプロテクタを短時間で効率的に剥離することができ、容器の修理再生にも有用な剥離方法である。【選択図】図２
2011016092.tif 000002
【特許請求の範囲】
【請求項１】
金属からなる容器本体（９１）に軟質材料からなるプロテクタ（９２，９３）が接着により固着されている容器（９）に対して、コイル（２１，２２）を前記プロテクタ（９２，９３）の固着位置の近傍に配置する手順と、
前記コイル（２１，２２）に高周波交流電流を所定時間供給し、前記容器本体（９１）の前記プロテクタ（９２，９３）固着位置近傍を高周波誘導加熱によって加熱して接着剤層を破壊する手順と、
前記プロテクタ（９２，９３）を前記容器本体（９１）から剥離する手順とを有する容器のプロテクタ剥離方法。
【請求項２】
請求項１に記載した容器のプロテクタ剥離方法であって、
前記容器本体（９１）はステンレス鋼からなるものである容器のプロテクタ剥離方法。
【請求項３】
請求項２に記載した容器のプロテクタ剥離方法であって、
前記容器本体（９１）の高周波誘導加熱による加熱は、前記容器本体（９１）の温度が５５０℃を超えない範囲で行うものである容器のプロテクタ剥離方法。
【請求項４】
請求項１〜３のいずれか１項に記載した容器のプロテクタ剥離方法であって、
前記プロテクタ（９２，９３）は略環状のものであり、
前記コイル（２１，２２）は、前記プロテクタ（９２，９３）の内周側と外周側の両側に配置されたものである容器のプロテクタ剥離方法。
【請求項５】
請求項４に記載した容器のプロテクタ剥離方法であって、
前記コイル（２１，２２）は、前記プロテクタ（９２，９３）の内周側と外周側において、それぞれ２巻き以上巻かれたものである容器のプロテクタ剥離方法。
【請求項６】
請求項１〜５のいずれか１項に記載した容器のプロテクタ剥離方法であって、
前記コイル（２１，２２）は、前記容器本体（９１）との最小距離が５ｍｍ〜１５ｍｍとなるように配置されたものである容器のプロテクタ剥離方法。
【請求項７】
請求項１〜６のいずれか１項に記載した容器のプロテクタ剥離方法であって、
前記コイル（２１，２２）は、外周が絶縁材料で被覆された銅からなる中空パイプである容器のプロテクタ剥離方法。
【請求項８】
請求項７に記載した容器のプロテクタ剥離方法であって、
前記コイル（２１，２２）は、前記中空パイプの内部に冷却液を流通させて冷却されるものである容器のプロテクタ剥離方法。
【請求項９】
請求項１〜８のいずれか１項に記載した容器のプロテクタ剥離方法であって、
前記コイル（２１，２２）には、周波数１０ｋＨｚ〜４０ｋＨｚ、電流値４０〜２００Ａの範囲の高周波交流電流を２０〜１８０秒間供給するものである容器のプロテクタ剥離方法。
【請求項１０】
金属からなる容器本体（９１）に軟質材料からなるプロテクタ（９２，９３）が接着により固着されている容器（９）に対して、前記プロテクタ（９２，９３）の固着位置の近傍に配置されたコイル（２１，２２）と、
高周波交流電流を前記コイル（２１，２２）に所定時間供給する高周波交流電源（３）と、
前記プロテクタ（９２，９３）と前記容器本体（９１）の少なくとも一方を保持し、前記プロテクタ（９２，９３）と前記容器本体（９１）とを互いに引き離す力を作用させて、前記プロテクタ（９２，９３）を前記容器本体（９１）から剥離する剥離手段（４，５）とを有する容器のプロテクタ剥離装置。
【請求項１１】
請求項１０に記載した容器のプロテクタ剥離装置であって、
前記プロテクタ（９２，９３）は略環状のものであり、
前記コイル（２１，２２）は、前記プロテクタ（９２，９３）の内周側と外周側の両側に配置されたものである容器のプロテクタ剥離装置。
【請求項１２】
請求項１１に記載した容器のプロテクタ剥離装置であって、
前記コイル（２１，２２）は、前記プロテクタ（９２，９３）の内周側と外周側において、それぞれ２巻き以上巻かれたものである容器のプロテクタ剥離装置。
【請求項１３】
請求項１０〜１２のいずれか１項に記載した容器のプロテクタ剥離装置であって、
前記コイル（２１，２２）は、前記容器本体（９１）との最小距離が５ｍｍ〜１５ｍｍとなるように配置されたものである容器のプロテクタ剥離装置。
【請求項１４】
請求項１０〜１３のいずれか１項に記載した容器のプロテクタ剥離装置であって、
前記コイル（２１，２２）は、外周が絶縁材料で被覆された銅からなる中空パイプである容器のプロテクタ剥離装置。
【請求項１５】
請求項１４に記載した容器のプロテクタ剥離装置であって、
前記コイル（２１，２２）の前記中空パイプの内部に冷却液を流通させて前記コイル（２１，２２）を冷却する冷却手段（６）を有する容器のプロテクタ剥離装置。
【請求項１６】
請求項１０〜１５のいずれか１項に記載した容器のプロテクタ剥離装置であって、
前記高周波交流電源（３）は、周波数１０ｋＨｚ〜４０ｋＨｚ、電流値４０〜２００Ａの範囲の高周波交流電流を２０〜１８０秒間前記コイル（２１，２２）に供給するものである容器のプロテクタ剥離装置。
【発明の詳細な説明】
【技術分野】
【０００１】
この発明は、ビール樽等のように容器本体にゴム等のプロテクタが接着により固定されている容器から、修理やリサイクルのためにプロテクタを剥離するための方法および装置に関するものであり、さらに詳しくは、誘導加熱を利用して短時間でプロテクタを剥離するための方法および装置に関するものである。
【背景技術】
【０００２】
ステンレス鋼などの金属で製造された容器では、容器本体を衝撃から保護するためのプロテクタが容器本体に取り付けられていることが多い。このプロテクタがゴム等の軟質材料からなる場合には、プロテクタは接着によって容器本体に固着されている。このような容器のプロテクタが破損してその容器を修理する場合には、破損したプロテクタを容器本体から取り外し、新しいプロテクタを固着する必要がある。また、古くなった容器を廃棄してリサイクルを行う場合にも、金属製の容器本体と、ゴム等のプロテクタを分離して、別々の材料としてリサイクルを行う必要がある。
【０００３】
従来は、金属製の容器本体とゴム等のプロテクタを分離するために、容器本体を切断して、接着部の内側からガスバーナー等によって加熱して接着を破壊する方法が行われていた。または、容器本体を切断して、切断した部分を液体窒素などによって極低温に冷却し、柔軟性を失わせたゴムを破砕して除去する方法も行われていた。このような分離方法は、作業者の手間がかかったり、分離するための装置が大がかりになったりして、分離するためのコストが大きくなっていた。
【０００４】
また、このような分離方法は、容器を破壊してしまうため、容器の修理を行うためのプロテクタ剥離には使用できなかった。容器の修理を行うには、化学溶剤によって接着剤を溶解してプロテクタを剥離したり、カッターなどの刃物によりプロテクタを切断除去していた。このようなプロテクタの除去方法も、作業者の時間や手間がかかり、除去するためのコストが大きくなっていた。下記の特許文献１には、化学溶剤によって金属とゴム系組成物との接合体を剥離する方法が記載されている。
【先行技術文献】
【特許文献】
【０００５】
【特許文献１】特開２００２−３０９０３３号公報
【発明の概要】
【発明が解決しようとする課題】
【０００６】
前述のように、金属製の容器本体とゴム等のプロテクタが接着によって固着された容器では、容器本体とプロテクタとを短時間で効率的に分離する方法が知られていなかった。また、容器本体を破壊したり傷つけたりせずに、容器本体とプロテクタとを分離することは、作業者の時間や手間がかかり、除去するためのコストが大きくなっていた。
【０００７】
そこで、本発明は、金属製の容器本体とゴム等のプロテクタが接着によって固着された容器において、プロテクタを容器本体から短時間で効率的に剥離することができる容器のプロテクタ剥離方法および装置を提供することを目的とする。さらに、容器の修理再生を行うために、金属製の容器本体を傷つけずにプロテクタを短時間で効率的に除去することができる容器のプロテクタ剥離方法および装置を提供することを目的とする。
【課題を解決するための手段】
【０００８】
上記目的を達成するために、本発明の容器のプロテクタ剥離方法は、金属からなる容器本体に軟質材料からなるプロテクタが接着により固着されている容器に対して、コイルを前記プロテクタの固着位置の近傍に配置する手順と、前記コイルに高周波交流電流を所定時間供給し、前記容器本体の前記プロテクタ固着位置近傍を高周波誘導加熱によって加熱して接着剤層を破壊する手順と、前記プロテクタを前記容器本体から剥離する手順とを有するものである。
【０００９】
また、上記の容器のプロテクタ剥離方法は、前記容器本体がステンレス鋼からなるものにも適用できる。
【００１０】
また、上記の容器のプロテクタ剥離方法において、前記容器本体がステンレス鋼からなる場合、前記容器本体の高周波誘導加熱による加熱は、前記容器本体の温度が５５０℃を超えない範囲で行うものであることが好ましい。
【００１１】
また、上記の容器のプロテクタ剥離方法において、前記プロテクタは略環状のものであり、前記コイルは、前記プロテクタの内周側と外周側の両側に配置されたものであることが好ましい。
【００１２】
また、上記の容器のプロテクタ剥離方法において、前記コイルは、前記プロテクタの内周側と外周側において、それぞれ２巻き以上巻かれたものであることが好ましい。
【００１３】
また、上記の容器のプロテクタ剥離方法において、前記コイルは、前記容器本体との最小距離が５ｍｍ〜１５ｍｍとなるように配置されたものであることが好ましい。
【００１４】
また、上記の容器のプロテクタ剥離方法において、前記コイルは、外周が絶縁材料で被覆された銅からなる中空パイプであることが好ましい。
【００１５】
また、上記の容器のプロテクタ剥離方法において、前記コイルは、前記中空パイプの内部に冷却液を流通させて冷却されるものであることが好ましい。
【００１６】
また、上記の容器のプロテクタ剥離方法において、前記コイルには、周波数１０ｋＨｚ〜４０ｋＨｚ、電流値４０〜２００Ａの範囲の高周波交流電流を２０〜１８０秒間供給するものであることが好ましい。
【００１７】
また、本発明の容器のプロテクタ剥離装置は、金属からなる容器本体に軟質材料からなるプロテクタが接着により固着されている容器に対して、前記プロテクタの固着位置の近傍に配置されたコイルと、高周波交流電流を前記コイルに所定時間供給する高周波交流電源と、前記プロテクタと前記容器本体の少なくとも一方を保持し、前記プロテクタと前記容器本体とを互いに引き離す力を作用させて、前記プロテクタを前記容器本体から剥離する剥離手段とを有するものである。
【００１８】
また、上記の容器のプロテクタ剥離装置において、前記プロテクタは略環状のものであり、前記コイルは、前記プロテクタの内周側と外周側の両側に配置されたものであることが好ましい。
【００１９】
また、上記の容器のプロテクタ剥離装置において、前記コイルは、前記プロテクタの内周側と外周側において、それぞれ２巻き以上巻かれたものであることが好ましい。
【００２０】
また、上記の容器のプロテクタ剥離装置において、前記コイルは、前記容器本体との最小距離が５ｍｍ〜１５ｍｍとなるように配置されたものであることが好ましい。
【００２１】
また、上記の容器のプロテクタ剥離装置において、前記コイルは、外周が絶縁材料で被覆された銅からなる中空パイプであることが好ましい。
【００２２】
また、上記の容器のプロテクタ剥離装置において、前記コイルの前記中空パイプの内部に冷却液を流通させて前記コイルを冷却する冷却手段を有することが好ましい。
【００２３】
また、上記の容器のプロテクタ剥離装置において、前記高周波交流電源は、周波数１０ｋＨｚ〜４０ｋＨｚ、電流値４０〜２００Ａの範囲の高周波交流電流を２０〜１８０秒間前記コイルに供給するものであることが好ましい。
【発明の効果】
【００２４】
本発明は、以上のように構成されているので、次のような効果を奏する。誘導加熱によって容器本体を加熱することにより、容器本体とプロテクタとの接着部を熱によって破壊し、プロテクタを容器本体から短時間で効率的に剥離することができる。この際、容器本体に傷が付くこともなく、容器を修理して再使用する場合にも、非常に有用である。
【図面の簡単な説明】
【００２５】
【図１】本発明のプロテクタ剥離方法および装置の対象となる容器の構造の一例を示す断面図である。
【図２】プロテクタ剥離装置１の全体構成を示す正面図である。
【図３】プロテクタ剥離装置１を上方から見た平面図である。
【発明を実施するための形態】
【００２６】
本発明の実施の形態について図面を参照して説明する。図１は、本発明のプロテクタ剥離方法および装置の対象となる容器の構造の一例を示す断面図である。この容器９は、生ビール等を入れるためのビール樽の例である。容器９の容器本体９０は、ステンレス鋼の薄板から形成されたものである。容器本体９０の頂上部には口金９１が溶接等により接合されている。口金９１にはフィッティングが取り付けられ、容器９は全体として密封容器として機能する。
【００２７】
容器本体９０には、容器本体９０を衝撃から保護するためのプロテクタが容器本体に取り付けられている。プロテクタは上プロテクタ９２と下プロテクタ９３とからなる。これらの上プロテクタ９２と下プロテクタ９３は、図示のような断面形状のほぼ環状の部材であり、ゴム等の軟質材料からなるものである。このような軟質材料からなるプロテクタは接着によって容器本体９０に固着されている。なお、図１では示していないが、上プロテクタ９２には、外周側と内周側とを貫通する貫通孔が形成されており、この貫通孔を取っ手として容器を持ち運ぶことができる。
【００２８】
プロテクタの具体的な材質の例としては、スチレンブタジエンゴムをベースにしたものが使用される。この場合に、プロテクタを容器本体９０に接着するための接着剤としては、塩化ゴム系接着剤が使用可能である。なお、ここでの容器９の構造はあくまでも一例を示したものであり、容器本体の構造や、プロテクタの形状などは、図示のものと異なるものでもよい。
【００２９】
この容器９のプロテクタが破損したような場合、容器９の修理を行うには、破損したプロテクタを容器本体から取り外し、新しいプロテクタを固着する必要がある。その際、容器本体を傷つけずにプロテクタを取り外す必要がある。また、古くなって寿命に到達した容器９を廃棄してリサイクルを行う場合にも、ステンレス製の容器本体９０と、ゴム等のプロテクタを分離して、別々の材料としてリサイクルを行う必要がある。本発明は、誘導加熱を利用して、このような容器９からプロテクタを短時間で効率的に剥離することができるようにしたものである。
【００３０】
図２は、本発明のプロテクタ剥離装置１の全体構成を示す正面図である。また、図３は、プロテクタ剥離装置１を上方から見た平面図である。なお、図２はプロテクタ剥離装置１に容器９を取り付けた状態を示しているが、図３はプロテクタ剥離装置１からプロテクタ剥離装置１を取り外した状態を示している。プロテクタ剥離装置１の基台１１の上面には、コイル２１が支持部材２３により適正な位置に位置決めされて支持されており、コイル２２が支持部材２４により適正な位置に位置決めされて支持されている。
【００３１】
コイル２１は、上プロテクタ９２の内周側に配置され、容器本体９０と上プロテクタ９２との接着面に近接するように位置決めされている。ここでは、容器本体９０とコイル２１との最小距離が約１０ｍｍとなるように位置決めされている。コイル２２は、上プロテクタ９２の外周側に配置され、やはり容器本体９０と上プロテクタ９２との接着面に近接するように位置決めされている。ここでは、容器本体９０とコイル２２との最小距離が約８ｍｍとなるように位置決めされている。なお、コイル２１，２２と容器本体９０との位置関係は、コイル２１，２２と容器本体９０との最小距離が５ｍｍ〜１５ｍｍとなるように配置することが好ましい。
【００３２】
コイル２１，２２は、外周が絶縁材料で被覆された銅からなる中空パイプである。図示のように、内周側のコイル２１は６巻き、外周側のコイル２２は４巻きの巻き線とされている。これらのコイル２１，２２は、いずれも２巻き以上巻かれたものであることが好ましい。また、コイル２１，２２は、通電する際に、その中空パイプの内部に冷却液を流通させて冷却される。コイル２１，２２には大電流が供給されるため、大電流によるコイル２１，２２自体の加熱を冷却するためである。
【００３３】
プロテクタ剥離装置１には、容器９が口金９１を下方として倒立状態で取り付けられる。基台１１には、プロテクタ固定部４が設けられている。プロテクタ固定部４は、図３に示すように、水平面上で９０度の角度範囲で回動可能に設けられている。容器９を基台１１の上面に載置し、プロテクタ固定部４を回動させてその先端部を上プロテクタ９２の貫通孔に係合させることにより、上プロテクタ９２を基台１１の上面に固定できる。図２は上プロテクタ９２をプロテクタ固定部４によって固定した状態である。
【００３４】
また、基台１１には、口金９１に当接して容器本体９０を上方に加圧して押し上げるための押し上げ部５が設けられている。押し上げ部５は、上下動可能に設けられており、空気圧シリンダ５１によって駆動される。空気圧シリンダ５１は作業者がフットスイッチによって操作可能であり、これにより、作業者は押し上げ部５の上げ下げを適宜のタイミングで行うことができる。
【００３５】
本発明のプロテクタ剥離装置１は、コイル２１，２２に高周波交流電流を流して誘導加熱により容器本体９０を加熱し、プロテクタと容器本体９０との接着部を破壊する。さらに、プロテクタ固定部４と押し上げ部５によりプロテクタと容器本体９０とを引き離して、プロテクタを剥離するのである。プロテクタ固定部４と押し上げ部５が剥離手段に相当する。
【００３６】
高周波交流電源３は、コイル２１，２２に高周波交流電流を供給するためのものである。なお、コイル２１，２２は直列に接続されており、コイル２１，２２には高周波交流電源３から同じ電流が流される。高周波交流電源３は、コイル２１，２２に電流供給するための、出力電圧、出力電流、周波数などが設定可能である。また、高周波交流電源３にはタイマ回路が設けられており、電流供給を行う時間が任意に設定できる。電流供給の時間を設定しておけば、その時間が経過すると自動的に供給電流が遮断される。
【００３７】
高周波交流電源３は、供給電流の範囲を、少なくとも、周波数１０ｋＨｚ〜４０ｋＨｚ、電流値４０〜２００Ａの範囲で設定可能である。また、電流供給の時間は、少なくとも２０〜１８０秒間の範囲で設定可能である。
【００３８】
高周波交流電源３からコイル２１，２２に高周波交流電流を供給する際には、冷却液循環部６からコイル２１，２２の中空パイプの内部に冷却液を循環させて、コイル２１，２２の冷却をおこなう。冷却液循環部６が冷却手段に相当する。冷却液循環部６による冷却液の循環は、高周波交流電源３の電流供給に連動している。高周波交流電源３からコイル２１，２２に電流が供給される際には、自動的に冷却液の循環も行われる。
【００３９】
次に、容器９から上プロテクタ９２を剥離するための手順と、その実例について説明する。まず、プロテクタ剥離装置１の基台１１上に、容器９を倒立状態で載置する。このとき、コイル２１，２２は、上プロテクタ９２の接着部に近接することになる。そして、プロテクタ固定部４を回動させて上プロテクタ９２を基台１１上に固定する。次に、高周波交流電源３の供給電流の周波数および電流値を設定し、電流供給の時間を設定して、コイル２１，２２に電流供給を開始する。電流供給に連動して冷却液も循環される。
【００４０】
コイル２１，２２に高周波交流電流が流されて、誘導加熱により容器本体９０が加熱され、容器本体９０と上プロテクタ９２との接着部（接着剤層）が熱によって破壊されていく。設定時間が経過する時点では、接着部が十分に破壊されている。設定時間が経過すると、コイル２１，２２への電流供給が自動的に停止される。
【００４１】
その後、作業者がフットスイッチを操作して、押し上げ部５を上昇させる。押し上げ部５は口金９１に当接して容器本体９０を押し上げ、容器本体９０と上プロテクタ９２とを剥離する。すでに容器本体９０と上プロテクタ９２との接着部が十分に破壊されているので、この剥離は小さな力で容易に行うことができる。剥離後は容器本体９０を手で移動することができる。
【００４２】
実際に剥離を行った例では、高周波交流電源３の印加電圧４００Ｖ、供給電流値１２０Ａ、周波数２４．６ｋＨｚの条件で、６０秒間コイル２１，２２に電流供給を行ったところ、容器本体９０と上プロテクタ９２との接着部が十分に破壊され、容易に上プロテクタ９２を剥離することができた。このときの容器９は、容器本体９０がステンレス鋼からなり、プロテクタはスチレンブタジエンゴムをベースにしたものであり、接着剤は塩化ゴム系接着剤であった。
【００４３】
なお、容器本体９０がステンレス鋼からなる場合、あまり加熱温度が高くなると、ステンレス鋼に鋭敏化状態が発生し、ステンレス鋼が腐食されやすくなることがある。そのため、ステンレス鋼からなる容器本体を再利用する場合には、その温度が５５０℃を超えない範囲で加熱することが望ましい。すなわち、容器本体の温度が５５０℃を超えないように、供給電流値、周波数および供給時間を設定する。具体的には、周波数２０ｋＨｚ〜３０ｋＨｚ、電流値１００〜１４０Ａ、供給時間５０〜７０秒の範囲でコイル２１，２２に電流供給を行うことが好ましい。
【００４４】
また、容器本体がその他の一般的な金属の場合には、周波数１０ｋＨｚ〜４０ｋＨｚ、電流値４０〜２００Ａ、供給時間２０〜１８０秒の範囲でコイル２１，２２に電流供給を行うことが好ましい。
【００４５】
以上のように、本発明の容器のプロテクタ剥離方法および装置によれば、誘導加熱によって容器本体を加熱することにより、容器本体とプロテクタとの接着部を熱によって破壊し、プロテクタを容器本体から短時間で効率的に剥離することができる。この際、容器本体に傷が付くこともなく、容器を修理して再使用する場合にも、非常に有用な剥離方法となっている。
【００４６】
なお、図２、図３の実施の形態では、上プロテクタ９２を容器本体９０から剥離する場合について示したが、コイル２１，２２の位置や、プロテクタ固定部４の形状を変更すれば、下プロテクタ９３の剥離も可能である。すなわち、コイル２１，２２の位置を調整し、プロテクタ固定部４を他の形状のものに交換する等によって、下プロテクタ９３の剥離が可能となる。
【００４７】
さらに、図２に示したプロテクタ剥離装置１では、容器９を倒立状態で装置に取り付けるようにしているが、本発明はこのような構造に限定されることもない。例えば、容器９を正立状態として、上方から上プロテクタ９２を保持して容器９を吊り下げ保持するようにし、容器本体９０の自重で上プロテクタ９２を剥離するようにしてもよい。その際、容器本体９０に重りを付加して剥離のための力を増大することもできる。
【産業上の利用可能性】
【００４８】
本発明によれば、金属製の容器本体とゴム等のプロテクタが接着によって固着された容器において、プロテクタを容器本体から短時間で効率的に剥離することが可能な容器のプロテクタ剥離方法および装置を提供するができる。これにより、容器本体を傷つけずにプロテクタを短時間で効率的に除去することができ、容器の修理再生にも有用である。
【符号の説明】
【００４９】
１  プロテクタ剥離装置
３  高周波交流電源
４  プロテクタ固定部
５  押し上げ部
６  冷却液循環部
９  容器
１１  基台
２１，２２  コイル
２３，２４  支持部材
５１  空気圧シリンダ
９０  容器本体
９１  口金
９２  上プロテクタ
９３  下プロテクタ
【図１】
2011016092.tif 000003
【図２】
2011016092.tif 000004
【図３】
2011016092.tif 000005